(57)【要約】【課題】  ユーザーが音声又は／及び映像のデータをそれに対する印象を示すマークを付することでジャンル分けし、そのジャンル分けに付した特定のマークに基づいてユーザーがその時所望する印象の音声又は／及び映像のデータを再生するデータ再生装置において、音声又は／及び映像のデータに対する感じや印象をマークに対応付ける作業が簡便であって多くの時間を必要とせず、ユーザーのその音声又は／及び映像への感じや印象が素直に正しく反映されることを目的とする。【解決手段】  ほぼ六角形状で互いに連続して隣接し且つ互いに相異なる色彩が付された複数の選択板を備えてなる選択部１２から、音声又は／及び映像に対する印象を対応する色彩の選択板を選択することで、その音声又は／及び映像のデータと前記特定色の選択板とを関連付けた。【選択図】  図３
2008305523.tif 000002
【特許請求の範囲】
【請求項１】
複数の音声又は／及び映像のデータが用意され、ユーザーが音声又は／及び映像に対して抱いている感じや印象に基づいて前記複数の音声又は／及び映像のそれぞれをジャンルに分類し、そのジャンルに分類された複数の音声又は／及び映像のデータの中から所望する感じや印象に基づいて音声又は／及び映像のデータを呼び出して再生を行う構成のデータ再生装置であって、
互いに異なる色彩によって彩色され、ユーザーによって選択されるとその選択された旨の信号を出力する複数の選択板が備えられた入力部と、特定の音声又は／及び映像のデータをジャンルに分類して登録する際には、前記入力部からの信号に基づいて前記特定の音声又は／及び映像のデータと分類されて入れられるジャンルの関係を記憶し、特定のジャンルに分類された音声又は／及び映像のデータを呼び出す際には、前記入力部のジャンルに対応する選択板を選択することによって当該ジャンルに属する音声又は／及び映像のデータを呼び出して再生するように制御を行う制御部を具備して構成されたことを特徴とするデータ再生装置。
【請求項２】
上記複数の選択板は、形状がほぼ正六角形であって互いに連続して隣接し合い、各選択板に付される色彩が隣接する選択板同士で同系色、同じ程度の彩度、同じ程度の明度で連続する構成である請求項１に記載のデータ再生装置。
【請求項３】
上記複数の選択板の中から一つの選択板を選択すると、その選択板に対応するジャンルの記憶されている音声又は／及び映像のデータのタイトルが表示される構成の請求項１に記載のデータ再生装置。
【発明の詳細な説明】
【技術分野】
【０００１】
この発明は、カーオーディオ、家庭用オーディオといった音声（楽曲）に係るデータ、又は、例えば風景や動物・植物といった映像に係るデータを再生して出力する、或いは音声と映像が対応付けられたデータを再生して出力するデータ再生装置に関し、特に、複数のデータの中から所望する種類（ジャンル）のデータを自動的に選択して出力するデータ再生装置に関する。
【背景技術】
【０００２】
今日では、数多くの音声、映像（動画と静止画を共に含む）、更には音声と動画映像が対応付けられたものがデータ化され、且つ、それらデータ化された音声等を再生する装置が容易に入手することが可能であり、更に、音声等のデータが極めて容易に記録媒体にコピーしたり電気通信回線を介して送受することが可能になっている。
従って、多くのユーザーが数多くの音声等のデータを選択して容易に再生して楽しむことが可能になっている。
【０００３】
しかしながら、その反面、音声又は／及び映像に係るデータが数多くある場合には、ユーザーはそれらの音声又は／及び映像のデータの中からどれを特定して再生すべきかに多大な労力や時間を要することになって取り扱いに窮するという問題が生じている。
この問題に対して、ユーザがその音声又は／及び映像を好きである・その音声又は／及び映像に興味があるなどといった主観的な印象に基づいて音声又は／及び映像のデータを分類（ジャンル分け）してデータベースを構築し、結果的に、数多く格納している音声又は／及び映像のデータを簡便に取り扱うことを可能にする手法が提案されている。
数多くある音声データを簡便に取り扱うための発明及び音声を主観的な印象に基づいて音声データそのものを分析して複数の音声データを自動的に分類する発明として、それぞれ以下に示す文献が知られている。
【０００４】
【特許文献１】特開２００２−２７８５４７号公報
【特許文献２】特開平６−２９０５７４号公報
【発明の開示】
【発明が解決しようとする課題】
【０００５】
特開２００２−２７８５４７号公報で開示されている発明は、数多くの音声データの中からその時点でユーザーが希望するデータの検索を可能となることを目的として為された発明であって、検索対象となる複数の音声にそれぞれユーザーの主観的な要件を数値化してその数値を出力可能とさせ、その出力される数値に基づいて検索対象の音声の印象を数量化して予測印象値を算出し、その算出で得られる予測印象値に基づいて音声データベースを検索することで結果的にユーザーの所望する音声を求めて行くように構成されている。
【０００６】
他方、特開平６−２９０５７４号公報で開示されている発明は、音声のイメージに係るインデックスを自動的に作成し、その作成したインデックスに基づいて所望する音声を検索可能とすることを目的として、曲名等の書誌的項目に基づく１次インデックス、リズムや和音等の音楽的な特徴に基づく２次インデックス、その２次インデックスを元にした音声のイメージや音声に相応しい状況に基づく３次インデックスを作成し、これら１次〜３次のインデックスによって、音声を検索するように構成されている。
【０００７】
今日の記録媒体は大容量化となっており、以前に比して数多くの音声又は／及び映像のデータを記録することが可能になっている。
他方、今日では、データを検索する際に機能するＣＰＵは、処理スピードが大幅に高速化されて処理に要する時間が多いに短縮化されている。従って、記録されている数多くの音声又は／及び映像のデータの中から所望するデータを短時間で検索して見付け出すことが可能になっている。
【０００８】
しかしながら、上記の先行発明では、ユーザーが実際にそれぞれの音声に対して主観的な印象の度合いを入力する際に多くの項目に係るパラメーターを判断する必要があり、印象の度合いの入力が煩雑であって、又、その作業に多くの時間を要するという問題があった。
更に、音声への印象に係るパラメーターの判断は直感的に行うことでそのユーザーの印象の度合いが素直で正しく反映されるが、パラメーターが多くて、それらのパラメーターの判断に多くの時間を掛けて行うとユーザーの直感的な印象が反映され難くなり、結果的に、ユーザーの主観的な印象が反映された妥当なデータベースを得ることができないという問題があった。
【０００９】
この発明は、上記の事情に鑑みてなされたものであり、ユーザーがそれぞれの音声又は／及び映像の印象の度合いを特定してジャンル分けして行く際に作業が簡便であって多くの時間を必要とせず、よって、ユーザーのその音声又は／及び映像への印象が素直に正しく反映され、結果的に、データベースからユーザーが所望するジャンルの音声又は／及び映像の検索がより一層そのユーザーの印象に基づいて行われ得るデータ再生装置を提供するものである。
【課題を解決するための手段】
【００１０】
この発明は、ユーザーのその音声又は／及び映像に対する印象を、複数の色彩の中から選択して対応付けて記録し、再生時には前記複数の色彩の中から特定の色彩を選択することによって対応する音声又は／及び映像のデータを指定して再生する構成のデータ再生装置である。
その詳細な構成は、複数の音声又は／及び映像のデータが用意され、ユーザーが音声又は／及び映像に対して抱いている感じや印象に基づいて前記複数の音声又は／及び映像のそれぞれをジャンルに分類し、そのジャンルに分類された複数の音声又は／及び映像のデータの中から所望する感じや印象に基づいて音声又は／及び映像のデータを呼び出して再生を行う構成のデータ再生装置であって、
互いに異なる色彩によって彩色され、ユーザーによって選択されるとその選択された旨の信号を出力する複数の選択板が備えられた入力部と、特定の音声又は／及び映像のデータをジャンルに分類して登録する際には、前記入力部からの信号に基づいて前記特定の音声又は／及び映像のデータと分類されて入れられるジャンルの関係を記憶し、特定のジャンルに分類された音声又は／及び映像のデータを呼び出す際には、前記入力部のジャンルに対応する選択板を選択することによって当該ジャンルに属する音声又は／及び映像のデータを呼び出して再生するように制御を行う制御部を具備して構成されたことを特徴とするデータ再生装置である。
【００１１】
ここで、色彩とは、赤、青、黄の三原色で代表されるような有彩色のみならず、白色、黒色、灰色の無彩色も含むものである。
更に、色彩原料に金属粉を含ませ光に乱反射して独特の光沢を得るようにした、いわゆるメタリック塗装、色彩部分の表面を磨りガラス状にして光に対して強く照り映えることを抑えた、いわゆる艶消し塗装等の色彩をも含むものである。
【００１２】
と言うのは、ユーザーがある特定の音声又は／及び映像に対して抱く感じや印象を色彩に対応付ける場合、その感じや印象は単に有彩色に限られるものではなく無彩色、いわゆるメタリック塗装による色彩、いわゆる艶消しされた色彩等にも対応付けることが最も妥当な場合があると考えられるからである。
他方、そのように、特定の音声又は／及び映像に対して抱く感じや印象を無彩色、いわゆるメタリック塗装による色彩、いわゆる艶消しされた色彩等に対応付けたユーザーにとつては、対応付けた色彩に基づいて対応する感じや印象を思い起こすことになるので、妥当な音声又は／及び映像を選択することになるからである。
【００１３】
上記複数の選択板は、具体的に、形状がほぼ正六角形であって互いに連続して隣接し合う、つまり、ハニーカム形状であって、各選択板に付される色彩が隣接する選択板同士で同系色、同じ程度の彩度、同じ程度の明度で連続している構成のものが挙げられる。
又、上記複数の選択板の中から一つの選択板を選択すると、その選択板に対応するジャンルの記憶されている音声又は／及び映像のデータのタイトルが表示される構成を付加することが可能である。斯かる構成によって、ユーザーがその時に真に再生したいデータを確認することが可能である。
【発明の効果】
【００１４】
この発明は、ユーザーの当該音声又は／及び映像に対する印象を、複数の色彩の中から選択指定してその色彩に対応するジャンルに属するように予め記録し、再生の際にはユーザーが望む印象の音声又は／及び映像を前記の複数の色彩の中から前記の望む印象に対応する色彩を選択指定することによって再生すべき音声又は／及び映像のデータを特定する構成であることから、色彩を介してそのユーザーの当該音声又は／及び映像を忠実に特定することが可能であり、又、当該音声又は／及び映像に対するユーザーの印象の特定を簡便で短時間で済ますことが可能で、このことによってユーザーの当該音声又は／及び映像に対する直感的な印象が素直にデータに反映され、結果的に、そのユーザーの印象に合致するジャンルの音声又は／及び映像を選択し得るデータ再生装置である。
更に、装置そのもの、殊に、データ処理の手段が簡便であるデータ再生装置である。
【発明を実施するための最良の形態】
【００１５】
以下において、図面と共にこの発明を実施するための最良の形態を説明する。しかし、この実施の形態によって、この発明が限定されるものではない。
データ再生装置１は、ＤＶＤ再生部２と、操作部３と、表示部４と、制御部５と、テーブル６及びメモリ７が備えられている。
【００１６】
ＤＶＤ再生部２は、装置本体８に内設され、ＤＶＤ記録媒体（図示省略）に記録されているデータを再生し、音声及びその音声に対応する映像の再生信号を出力するものである。
ＤＶＤ再生部２は、５枚のＤＶＤ記録媒体の載置が可能であって装置本体８に対して突出と収納の位置を取るトレー体９、ピックアップ（図示省略）等を備え、トレー体９に載置されているＤＶＤ記録媒体の中から任意の音声データと映像データのペアを再生してその信号を出力するものである。
【００１７】
操作部３は、リモートコントロールによって装置の機能を操作するものである。
尚、１０は、操作部３から操作信号を送る送信部であり、１１は、装置本体８のフロントパネルに配設され、操作部３からの信号を受ける受信部である。
操作部３は、メイン電源のＯＮ−ＯＦＦ操作、トレー体９のスライド操作、再生対象となるＤＶＤ記録媒体とデータの設定、再生対象データの飛び越し前戻りの選択、ＤＶＤ再生機能以外の機能への切り換え等を行うものである。
【００１８】
表示部４は、液晶表示手段を含んで構成され、装置の現行の機能状態、後述するＤＶＤデータのジャンル指定の内容等を表示するものである。表示部４は、装置本体８のフロントパネルに配設されている。
制御手段５は、操作部３からの操作信号に基づいて、ＤＶＤ再生部２及び表示部４に出力させるための信号を送るものである。
メモリ６は、制御部５が機能するために必要なデータを格納するものである。
【００１９】
データ再生装置１には、更に、ユーザーにとって特定のＤＶＤデータに対する感じや印象を複数の色彩の中から特定の色彩を選択するとその選択したデータを分類分けされたジャンルに対応付け、再生を行う際には、ユーザーが所望する感じや印象の音声・映像を前記複数の色彩から選択することによって対応付けられている特定のジャンルのＤＶＤデータを選択して再生する手段が備えられている。
つまり、操作部３は、装置の機能を操作するためのスイッチに加えて、ユーザーが特定のＤＶＤデータに対する感じや印象をジャンルに分類指定する選択部１２が備えられている。
【００２０】
選択部１２は、それぞれの形状がほぼ正六角形であって、且つ、互いに連続して隣接し合い、更には、その隣接し合っているもの同士で色相、明度、彩度が近似する順で連続的に変化する複数の選択板と、それら複数の選択板をユーザーが押圧選択するとＯＮとなって、その選択板が選択されたことを制御部５に送るシートスイッチを備えて構成されている。つまり、選択部１２の各選択板の色彩は、隣接する選択板同士で同系色、同じ程度の彩度、同じ程度の明度で連続する構成になっている。
尚、選択部１２を構成する複数の選択板は、より具体的には、中心部に白色の選択板１２が配設され、選択板１２を中心に青系、緑系、黄色系、赤系に彩られている。
【００２１】
そして、例えば、選択板の色彩が白色であれば、ユーザーが感じる心象として神聖と浄化を、色彩そのものから受ける一般な印象として清潔と明るさを受けると考えられる。
以下、同様にして、茶色からは安らぎと安定のユーザー心象及び穏やかさの色彩印象を、紫からは自己治癒力のユーザー心象及び高貴さの色彩印象を、青からは開放感と自立心のユーザー心象及びクールの色彩印象を、緑からはバランスと中庸のユーザー心象及び落ち着きの色彩印象を、オレンジからは暖かさのユーザー心象及び喜びの色彩印象を、黄色からは光と希望のユーザー心象及び楽しさの色彩印象を、赤からは生命力と高揚のユーザー心象及び情熱の色彩印象を、ピンクからは心を開かせる優しさのユーザー心象及び赤よりも穏やかの色彩印象を、黒からは強い意志のユーザー心象及び暗さと夜の色彩印象を、虹色からはストレスからの開放のユーザー心象及び雨上がりの色彩印象をそれぞれ受けると考えられる。
又、ユーザーは、有彩色の同系色であって彩度が高ければ高いほど、当該ＤＶＤデータの印象が強いとして対応付けることも可能である。
【００２２】
テーブル７は、ユーザーにある特定の音声・映像のデータが示されると、そのユーザーがそのデータに対する感じや印象を上記複数の選択板から選択押圧すると、制御部５がそのデータと選択板の色彩をペアとしてジャンルに分類して記憶するものである。
そして、再生時には、ユーザーがその時に所望する感じや印象を操作部３の選択部１２の選択板（色彩）から選択すると、上記シートスイッチから制御部５に選択を示す信号が送られ、制御部５はその選択に対応するジャンルをテーブル７から読み出して、その読み出したジャンルのデータを再生するようにＤＶＤ再生部２に制御信号を送るように構成されている。
【００２３】
データ再生装置１は、上述したように構成されている。以下において、その使用を説明する。
ユーザーは、トレー体９に再生を所望する５枚のＤＶＤ記録媒体を載置させ、装置本体８の内部に収納させる。
【００２４】
ここで、ＤＶＤ記録媒体のジャケットのＤＶＤデータＡのタイトルが「世界の霊場」であって、ユーザーはこのデータ「世界の霊場」に神聖と浄化の心象及び清潔と明るさの色彩印象を得たので、操作部３を操作してＤＶＤデータＡに選択部１２から選んだ白を選択して押圧し、データ「世界の霊場」と白がペアとなっていることを表示部４で確認し、そのペアのデータをテーブル７に格納する。
つまり、このデータ入力の際、表示部４には、ＤＶＤデータＡに対して白の色彩がペアになった旨が表示される。ユーザーは、このことを確認した後に、操作部３のデータ入力キー（図示省略）を押す。
【００２５】
次に、ＤＶＤ記録媒体のジャケットのＤＶＤデータＢのタイトルが「大相撲名取り組み」であって、ユーザーはこのデータ「大相撲名取り組み」にファイティング・スピリットへの生命力の高揚の心象及び勝敗への情熱の色彩印象を覚えたので、操作部３を操作して第２データに選択部１２から選んだ赤を選択押圧して、データ「大相撲名取り組み」と赤がペアとなっていることを表示部４で確認し、そのペアのデータをテーブル７に格納する。
続くＤＶＤ記録媒体のジャケットのＤＶＤデータＣのタイトルが「自家加工食品の作り方」であって、ユーザーはこのデータ「自家加工食品の作り方」に暖かさの心象及び喜びの色彩印象を覚えたので、操作部３を操作してＤＶＤデータＣに選択部１２から選んだオレンジを選択押圧して、データ「自家加工食品の作り方」とオレンジがペアとなっていることを表示部４で確認し、そのペアのデータをテーブル７に格納する。
【００２６】
以下同様にして、上記５枚のＤＶＤ記録媒体に記録されている全てのデータについて、それらのデータに係る心象と色彩印象に基づいて選択した色彩のペアをテーブル７に格納する。
次に、テーブル７に格納されたデータと色彩とのジャンル分けされたペアで、同じジャンルに複数のデータがある場合には、例えば、白の色彩が選択されてペアとなったデータが「世界の霊場」、「奇跡の泉ルルド」、「神話のふるさと」、「日本の山岳信仰」、「曼陀羅の世界」と５つがあった場合に、ユーザーが再生したい順序、例えば、「奇跡の泉ルルド」、「神話のふるさと」、「世界の霊場」、「曼陀羅の世界」、「日本の山岳信仰」と再生順序を指定する。
【００２７】
その後、ユーザーはDVDの音声・映像を楽しみたいという気になったので、操作部３を操作してデータ再生装置１を作動させる。
ユーザーは、この時、神聖と浄化の心象を持ち、清潔で明るい感じの色彩印象に惹かれて選択部１２で白を選択押圧する。
【００２８】
ここで、その旨の信号が操作部３から制御部５に送られる。制御部５は、再生対象が白の色彩でジャンル分けされてペアとなっているデータテーブル７から呼び出そうとする。  テーブル７は、白の色彩によってジャンル分けされたデータであって、且つ、その再生の順序が「奇跡の泉ルルド」、「神話のふるさと」、「世界の霊場」、「曼陀羅の世界」、「日本の山岳信仰」である旨を制御部５に信号で送る。
【００２９】
ここで、表示部４は、制御部５から制御信号に基づいて、「奇跡の泉ルルド」、「神話のふるさと」、「世界の霊場」、「曼陀羅の世界」、「日本の山岳信仰」のデータがこの順序で再生可能である旨を表示部４に表示する。
ここで、ユーザーは、表示部４の表示から自分が選択指定した色彩によって再生されるＤＶＤデータが「奇跡の泉ルルド」、「神話のふるさと」、「世界の霊場」、「曼陀羅の世界」、「日本の山岳信仰」であることを知り、これらのデータが希望する印象のジャンルに属しているデータであることが確認可能になり、ＤＶＤ再生部２が出力するように操作部３を操作する。
【００３０】
制御部５は、ＤＶＤ再生部２に、トレー体４に載置されている上記５枚のＤＶＤ記録媒体の中から、「奇跡の泉ルルド」、「神話のふるさと」、「世界の霊場」、「曼陀羅の世界」、「日本の山岳信仰」のＤＶＤデータをこの順序でそれぞれ再生するように制御信号を送る。
ここで、ＤＶＤ再生部２は制御部５から制御信号に基づき、上記５枚のＤＶＤ記録媒体の中から、「奇跡の泉ルルド」、「「世界の霊場」、「曼陀羅の世界」、「日本の山岳信仰」の各ＤＶＤデータをこの順序でそれぞれ再生して音声信号及び映像信号を出力する。
【００３１】
ＤＶＤ再生部２は、後段にスピーカ及び液晶表示パネルが接続されており、それらスピーカ及び液晶表示パネルはＤＶＤ再生部２からの信号に基づいてそれぞれ音声及び映像を出力する。
ユーザーは、印象を色彩で表現すると白のジャンルに分類されたＤＶＤデータの「奇跡の泉ルルド」、「神話のふるさと」、「世界の霊場」、「曼陀羅の世界」、「日本の山岳信仰」の再生が終わると、同様に、他の所望する印象に係る色彩を選択操作部３の選択部１２から対応する色彩を選択すると、その選択した色彩に対応するＤＶＤデータが表示部４に表示され、上記の選択した色彩が白の場合と同様に、選択した色彩で対応付けた印象のジャンルに属するＤＶＤデータを再生し、その音声と映像を楽しむことが可能である。
【００３２】
上述したように、データ再生装置１は、ユーザにとってそのＤＶＤデータに対する感じや印象を色彩に基づいてジャンル分けし、所望するジャンルのＤＶＤデータを色彩によって呼び出し、しかも、それらのＤＶＤデータのジャンル分け及びＤＶＤデータの呼び出しを選択部１２の色彩の付された選択板を押圧することによって行う構成であるので、簡便に操作を行うことが可能である。
又、操作が簡便であることから、特に、ＤＶＤデータのジャンル分けにおいて、ユーザーの素直な直感をデータとして残すことが可能になっている。
【００３３】
選択部１２の選択板は、上述したように、形状がほぼ正六角形であって、複数の選択板が互いに連続して隣接し合い、且つ、その隣接し合っている選択板同士で色相、明度、彩度が近似する順で連続的に変化するように構成されていることにより、ユーザーが、ＤＶＤデータをジャンル分けする際及びＤＶＤデータの呼び出しを行う際に、そのＤＶＤデータに対する感じや印象が異なった場合であっても、隣接する選択板同士で色相、明度、彩度が互いに近似しているので、当初の感じや印象から大きく外れたジャンルにＤＶＤデータをジャンル分けしたり、所望する感じや印象から大きく離れたＤＶＤデータを呼び出すということを回避することが可能になっている。
又、選択部１２の選択板は形状がほぼ正六角形で複数の選択板が互いに連続して隣接し合っているので、他の形状にすることに比して面積を大きく取れことが可能であることから、ユーザーとって色彩の認識及び押圧選択において比較的利便性が得られており、更には、選択部１２全体をコンパクトに抑えることが可能になっている。
【００３４】
殊に、選択部１２の各選択板の底面には選択されたことを電気信号に変換するスイッチ釦が配設され、選択による押圧力は丸形状で捉えることが望ましいことから、前記スイッチ釦は丸形状に形成されることが多く、各選択板の六角形状と対応がし易くなっている。
尚、選択部１２の各選択板は感じや印象を示す色彩が施されているが、図４に示すように、各選択板に色彩を付することに加えて色彩に対する感じや印象を示す文言を付すように構成し、このことにより、ユーザーの心象の特定を補助することも可能である。
【００３５】
データ再生装置１では、再生するデータはＤＶＤ記録媒体に記録されているが、他のデータ、例えば、ＣＤ、ＭＤ等の音声データ、電話回線を介して得られた記録したデータ等であってもよい。
又、データ再生装置１では再生対象のデータが音声と映像であり、ＣＤ、ＭＤ等では再生対象のデータは音声にのみ係るものであるが、プロモーションビデオのように、再生対象のデータが映像ににみ係るものであってもよい。
【００３６】
データ再生装置１は、上述したように、例えば選択部１２で白の選択板では、ユーザーが感じる心象として神聖と浄化を、色彩そのものから受ける一般な印象として清潔と明るさ、となっているが、選択部１２の選択板の数と色彩の種類によってユーザーが感じや印象と色彩の関係を適宜選択するのが望ましい。
又、複数のユーザーが一台のデータ再生装置１を共用する場合では、例え色彩に対する感じや印象が同じであってもデータに対する感じ方は各自で異なる場合が考えられ、これに対して、テーブル７を各ユーザー毎にデータを記憶する構成が挙げられる。
【図面の簡単な説明】
【００３７】
【図１】この発明の最良の実施の形態の外観を説明する斜視図である。
【図２】図１で示す実施の形態にスピーカ及び液晶表示パネルを接続した際の構成を示すブロック図である。
【図３】図１に示す操作部の選択部の構成を説明する正面図である。
【図４】他の構成の選択部の図３相当図である。
【符号の説明】
【００３８】
１    ：  データ再生装置
２    ：  ＤＶＤ再生部
３    ：  操作部
４    ：  表示部
５    ：  制御部
７    ：  テーブル
１２  ：  選択部
【図１】
2008305523.tif 000003
【図２】
2008305523.tif 000004
【図３】
2008305523.tif 000005
【図４】
2008305523.tif 000006